(57)【要約】【課題】幅木の非連結時には、フックレバーを収納保持し、幅木の連結時には、その保持位置から隣合う幅木の端部どうしを迅速容易に連結できる足場板用幅木を提供する。【解決手段】幅木本体３ａの前後各端部側に、端部キャップ２０と、アウトガイド２１と、キャッチガイド２２と、キャッチガイド２２をロックするロック部材２３とを設けた足場板用幅木において、幅木本体３ａの一端側端部キャップ２０に、先端部にフック６を形成した幅木連結用のフックレバー４の基端部側を揺動可能に取り付け、幅木本体３ａの他端側端部キャップ２０にはフック６が係止する係止部５を設け、フックレバー４は、非使用時は一端側端部キャップ２０側に退避した収納位置に保持手段により収納保持され、使用時は退避位置から隣合う他の幅木３の他端側端部キャップ２０側へ突出してフック６が係止部５に係止することにより、隣合う幅木３，３どうしを連結する。【選択図】図２
2006144445.tif 000002
【特許請求の範囲】
【請求項１】
足場板の桁側端部上に起立姿勢に載置される幅木本体を有し、幅木本体の前後各端部側に、端部キャップと、足場板の外側端面に支持されるアウトガイドと、足場用建枠の横架材に掛合されるキャッチガイドと、キャッチガイドを前記横架材に掛合させてロックするロック部材とを設けてなる足場板用幅木において、
幅木本体の一端側端部キャップに、先端部にフックを形成した幅木連結用のフックレバーの基端部側を揺動可能に取り付け、幅木本体の他端側端部キャップにはフックレバーのフックが係止する係止部を設け、このフックレバーは、非使用時は一端側端部キャップ側に退避した収納位置に保持手段により収納保持され、使用時には退避位置から隣合う他の幅木の他端側端部キャップ側へ突出してフックが係止部に係止することにより、隣合う幅木どうしを連結するようになっている足場板用幅木。
【請求項２】
フックレバーの基端部側にレバー長手方向に長い長孔と端部切欠溝とを連設し、その長孔に、フックレバーの一端側端部キャップに突設した取付軸部をスライド可能に係入し、このフックレバーは、非使用時にはフックが上側、端部切欠溝が下側に位置した略垂直姿勢で、端部キャップに突設したストッパーピンに端部切欠溝が係合して、収納位置に保持され、使用時には、端部切欠溝をストッパーピンから離脱させて、基端部側を揺動させることにより、フックレバーを略水平姿勢にしてフックを係止部に係止させるようにしてなる請求項１に記載の足場板用幅木。
【発明の詳細な説明】
【技術分野】
【０００１】
本発明は、建築現場等で仮設される足場板の桁側端部に沿って取り付けられる足場板用幅木に関するものである。
【背景技術】
【０００２】
建築現場等における足場板上での高所作業では、作業者の手にしたボルト・ナット、金具類等の種々の施工用部品や工具類、足元に置いた各種資材や用具等を誤って落下させ、事故につながるという危険性が常に付きまとうことから、その安全対策として、足場板の側縁部に添って幅木を取り付けることが行われているが、従来、足場板用幅木を足場板に取り付けるにあたって、足場板の幅木取付部位にボルト孔等を開けるなど足場板側に何らかの加工を施す必要があるため、在来の足場板をそのまま使用できない難点があり、また足場板用幅木の構成が複雑で、足場板への取り付けに手間がかかるという問題があった。そこで、特許文献１に記載されているように、足場板側に何の加工も施す必要がなく、在来の足場板をそのまま使用できると共に、足場板への取付け及び取外しが簡単容易に行える足場板用幅木が提供されている。
【０００３】
この幅木は、幅木本体の前後各端部に、端部キャップと、足場板の外側端面に支持されるアウトガイドと、足場用建枠の横架材に掛合されるキャッチガイドと、このキャッチガイドを前記横架材に掛合させてロックするロック部材とを設けたもので、幅木を足場板に取り付けるにあたって、幅木本体を足場板の側縁部上に載せて、アウトガイドの支持面を足場板の外側端面に支持させると共に、キャッチガイドの下端掛合部を足場板の前後端面と足場用建枠の横架材との間に突入させることにより、アウトガイドとキャッチガイドの下端掛合部により足場板の係止用フックを挟む状態となって、幅木本体の左右方向の移動及び倒れを阻止でき、またロック部材をロック操作することによって幅木本体の長手方向の移動を阻止できる。また、幅木を取り外すには、ロック手段を解除操作して幅木をそのまま持ち上げるだけでよいから、幅木の取付け及び取外しが極めて簡単容易となる。
【０００４】
そして、この幅木には幅木本体の一端側端部キャップに幅木連結用フックレバーの一端部が枢着され、幅木本体の他端側端部キャップにはフックレバーの遊端部のフックを受けるフック受けが設けてあって、このフックレバーとフック受けとによって隣合う幅木の端部どうしを連結できるようになっている。
【特許文献１】特開２００４−１１１５５号公報
【発明の開示】
【発明が解決しようとする課題】
【０００５】
上記特許文献１の足場板用幅木に設けてある幅木連結用のフックレバー及びフック受けによれば、フックレバーの一端部が端部キャップに枢着されているだけであるから、隣合う幅木を連結していない時は、フックレバーが幅木本体の一端側端部キャップのところでブラブラの状態にあって、作業者が足場板を通るたびにその振動でフックレバーがガタついて異様な金属音を発すると共に、そのガタつきによってフックレバーを枢着しているボルトが緩み易くなるといった問題があった。本発明は、このような問題に鑑み、隣合う幅木を連結しない時には、フックレバーを非使用位置に収納保持し、幅木を連結する時は、その非使用位置に収納保持した位置から隣合う幅木の端部どうしを迅速容易に連結できるようにした足場板用幅木を提供することを目的とする。
【課題を解決するための手段】
【０００６】
上記課題を解決するための手段を、後述する実施形態の参照符号を付して説明すると、請求項１に係る発明は、足場板１の桁側端部上に起立姿勢に載置される幅木本体３ａを有し、幅木本体３ａの前後各端部側に、端部キャップ２０と、足場板１の外側端面４０に支持されるアウトガイド２１と、足場用建枠の横架材１９に掛合されるキャッチガイド２２と、キャッチガイド２２を前記横架材１９に掛合させてロックするロック部材２３とを設けてなる足場板用幅木において、幅木本体３ａの一端側端部キャップ２０に、先端部にフック６を形成した幅木連結用のフックレバー４の基端部側を揺動可能に取り付け、幅木本体３ａの他端側端部キャップ２０にはフックレバー４のフック６が係止する係止部５を設け、このフックレバー４は、非使用時は一端側端部キャップ２０側に退避した収納位置に保持手段により収納保持され、使用時には退避位置から隣合う他の幅木３の他端側端部キャップ２０側へ突出してフック６が係止部５に係止することにより、隣合う幅木３，３どうしを連結するようになっていることを特徴とする。
【０００７】
請求項２は、請求項１に記載の足場板用幅木おいて、フックレバー４の基端部側にレバー長手方向に長い長孔７と端部切欠溝８とを連設し、その長孔７に、フックレバー４の一端側端部キャップ２０に突設した取付軸部９をスライド可能に係入し、このフックレバー４は、非使用時にはフック６が上側、端部切欠溝８が下側に位置した略垂直姿勢で、端部キャップ２０に突設したストッパーピン１０に端部切欠溝８が係合して、収納位置に保持され、使用時には、端部切欠溝８をストッパーピン１０から離脱させて、基端部側を揺動させることにより、フックレバー４を略水平姿勢にしてフック６を係止部５に係止させるようにしてなることを特徴とする。
【発明の効果】
【０００８】
上記解決手段による発明の効果を、後述する実施形態の参照符号を付して説明すると、
請求項１によれば、フックレバー４は、非使用時には一端側端部キャップ２０側に退避した収納位置に保持手段によって収納保持されるから、非使用時にフックレバー４がガタついて異様な金属音を発することがなく、取付軸部９が緩んで外れるようなことがない。
【０００９】
請求項２によれば、フックレバー４の基端部側にレバー長手方向に長い長孔７と端部切欠溝８とを連設し、その長孔７に、フックレバー４の一端側端部キャップ２０に突設した取付軸部９をスライド可能に係入し、このフックレバー４は、非使用時にはフック６が上側、端部切欠溝８が下側に位置した略垂直姿勢でストッパーピン１０に端部切欠溝８が係合して収納位置に保持され、使用時には、端部切欠溝８をストッパーピン１０から離脱させて、基端部側を長孔７を介して揺動させることにより、フックレバー４を略水平姿勢にしてフック６を係止部５に係止させるようにしているから、フックレバー４を揺動操作すると共に、このフックレバー４のフック６及び端部切欠溝８を係止部５及びストッパーピン１０に対し係脱操作するだけで、足場板１の桁側端部に沿って隣合う幅木３，３の端部どうしを簡単容易に連結することができ、また両幅木３，３の切り離しを簡単容易に行うことができる。
【発明を実施するための最良の形態】
【００１０】
以下に本発明の好適な実施形態を図面に基づいて説明すると、図１の(a) は本発明に係る足場板用幅木３をその外側面側から見た正面図、(b) は平面図であり、図２は足場板１の左右両桁側端部に取り付けられた足場板用幅木３，３を示す斜視図である。これら図１及び図２に示すように、各幅木３は、足場板１の桁側端部上面１６に起立姿勢で載置される幅木本体３ａを有する。足場板１には、足場本体１ａの前後各端面１７の左右両端部に足場板係止用フック１８，１８が突設され、各端面１７の両係止用フック１８，１８は、図示しない足場用建枠の横架材１９に夫々係止されるようになっている。
【００１１】
上記幅木本体３ａの前後各端部には、端部キャップ２０と、幅木本体３ａが足場板１の桁側端部上面１６上に起立姿勢に載置された状態で足場板１の外側端面４０に当接支持されるアウトガイド２１と、足場用建枠の横架材１９に掛合されるキャッチガイド２２と、このキャッチガイド２２を足場用建枠の横架材１９に掛合させてロックするロック部材２３とが設けられている。
【００１２】
各端部キャップ２０は、図２及び図５から分かるように、幅木本体３ａの前後各端部に取付け固定されるもので、一枚の金属板を二つ折りにしてその折曲端部と反対側の端部を平面視略々Ｌ字状に折曲したような形状を有し、平面視略々Ｕ字状のキャップ本体２０ａと、平面視略々Ｌ字状の取付基部２０ｂとからなる。この端部キャップ２０の上端開口端面には、図１〜図３に概略示すようにカバー５０が取り付けられている。尚、図４及び図５ではカバー５０の図示を省略している。
【００１３】
図１〜図３から分かるように、幅木本体３ａの一端側端部キャップ２０には、先端部にフック６を形成した幅木連結用のフックレバー４の基端部側が揺動可能に取り付けられ、幅木本体３ａの他端側端部キャップ２０にはフックレバー４のフック６が係止するボルト５（係止部）が設けられ、而してこのフックレバー４は、非使用時は一端側端部キャップ側に退避した収納位置に保持手段により収納保持され、使用時には退避位置から隣合う他の幅木３の他端側端部キャップ２０側へ突出してフック６が係止部５に係止することにより、図３の(a) に示すように、隣合う幅木３，３の端部どうしを連結するようになっている。
【００１４】
フックレバー４は、図３の(b) ，(c) に示すように、鋼板によって形成されたもので、先端部にフック６が形成されると共に、基端部側にレバー長手方向に長い長孔７と端部切欠溝８とが連設されている。而して、このフックレバー４は、図３の(a) に示すように、一端側端部キャップ２０に突設したボルト９（取付軸部）を長孔７にスライド可能に係入して取り付けることにより、非使用時には、図２の仮想線図示あるいは図３の(a) 、図４及び図５の実線図示のように、フック６が上側、端部切欠溝８が下側に位置した略垂直姿勢で、端部キャップ２０に突設したボルト１０（ストッパーピン）に端部切欠溝８が係合して、収納位置に保持されることになり、そして使用時には、端部切欠溝８をボルト１０（ストッパーピン）から離脱させて、フックレバー４の基端部側をその長孔７を介して揺動させることにより、このフックレバー４を図２の実線図示あるいは図３の(a) の仮想線図示のように、略水平姿勢にしてフック６をボルト５（係止部）に係止させ、それによって隣合う幅木３，３の端部どうしを連結することになる。
【００１５】
上記フックレバー４の端部切欠溝８とこれに係合するストッパーピン１０とによって、フックレバー４を収納位置に収納保持する保持手段が構成される。また、図３の(a) 及び(b) から分かるように、一端側端部キャップ２０にあるフックレバー４のフック６が他端側端部キャップ２０に突設されたボルト５（係止部）に係止して、隣合う幅木３，３の端部どうしを連結する時、一端側端部キャップ２０に突設されたボルト９（取付軸部）は、フックレバー４の長孔７の端部切欠溝８側の端部に位置するように設定される。
【００１６】
上記のようにフックレバー４は、非使用時には一端側端部キャップ２０側に退避した収納位置に保持手段によって収納保持されるから、非使用時にフックレバー４がガタついて異様な金属音を発することがなく、取付軸部としてのボルト９が緩むようなことがない。また、フックレバー４の基端部側にレバー長手方向に長い長孔７と端部切欠溝８とを連設し、その長孔７に、フックレバー４の一端側端部キャップ２０に突設したボルト９（取付軸部）をスライド可能に係入し、このフックレバー４は、非使用時にはフック６が上側、端部切欠溝８が下側に位置した略垂直姿勢でボルト１０（ストッパーピン）に端部切欠溝８が係合して収納位置に保持され、使用時には、端部切欠溝８をボルト１０から離脱させて、基端部側を長孔７を介して揺動させることにより、フックレバー４を略水平姿勢にしてフック６を係止部５に係止させるようにしているから、フックレバー４を揺動操作すると共に、このフックレバー４のフック６及び端部切欠溝８をボルト５（係止部）及びボルト１０（ストッパーピン）に対し係脱操作するだけで、足場板１の桁側端部に沿って隣合う幅木３，３の端部どうしを簡単容易に連結することができ、また両幅木３，３の切り離しを簡単容易に行うことができる。特に、非使用時には、フックレバー４は、図３の(a)
から分かるように、端部キャップ２０の上端面から突出せず、端部キャップ２０内に隠れた状態となるから、足場板１上で作業する作業員がフックレバー４に作業ズボン等を引っ掛けるおそれがないなど、作業上の安全を確保できる。
【００１７】
また、端部キャップ２０のキャップ本体２０ａの下端部は、その前端側が側面視円弧状に形成されて、幅木３の取付時に足場用建枠の横架材１９に係合可能な位置決め用の横架材係合部２４を形成し、且つキャップ本体２０ａ下端部の後端側が足場板１の前後端部に余裕をもって係合可能な足場板係合段部２５を形成し、而してこれら横架材係合部２４と足場板係合段部２５の間に形成される突片２６が、幅木取付時に足場板１の前後端面７と横架材１９との間に突入するようになっている。
【００１８】
キャッチガイド２２は、端部キャップ２０内で上端部を枢着されて前後方向揺動可能に垂下され、その下端掛合部２２ａが足場板係止用フック１８の内側面１８ａに近接した位置で足場板１の前後端面１７と足場用建枠の横架材１９との間に突入し、ロック部材２３は、幅木本体１９の内側面に上下方向揺動可能に枢着されて、一端側を押し下げることにより、キャッチガイド２２を前方へ押動して、その下端掛合部２２ａを足場用建枠の横架材１９に掛合させるようになっている。端部キャップ２０は、幅木本体３ａの前後各端部に取り付け固定されるもので、一枚の金属板を二つ折りにしてその折曲端部と反対側の端部を平面視略々Ｌ字状に折曲したような形状のもので、平面視略々Ｕ字状のキャップ本体２０ａと、平面視略々Ｌ字状の取付基部２０ｂとからなる。
【００１９】
またキャッチガイド２２は、端部キャップ２０のキャップ本体２０ａ内に挿入されて、その上端部が枢支軸としてのボルト１０（フックレバー４側のストッパーピン１０でもある）によりキャップ本体２０ａに枢着されて前後方向に揺動可能に垂下され、その下端掛合部２２ａが足場板１の前後端面１７と足場用建枠の横架材１９との間に前後移動自在に突入する。このキャッチガイド２２の下端掛合部２２ａの先端面は、足場用建枠の横架材２に掛合する掛合凹部２２ｏを形成している。またキャッチガイド２２は、ロック部材２３の先端部２３ａが当接する後端部をテーパｔに形成しているから、ロック部材２３の先端側を押し下げてキャッチガイド２２を押動する時、そのテーパｔの楔効果によりキャッチガイド２２を横架材１９に強固に押し込むことができる。
【００２０】
またキャッチガイド２２は、ロック部材２３によってロックされていない状態では、その下端掛合部２２ａが足場板１の前後部材１７と足場用建枠Ｔの横架材１９との中間に位置して横架材１９に係合しないように、ボルト１０により端部キャップ２０に枢着されている。また、キャッチガイド２２の中間部にはその前端側に切欠開口する一定長さのガイド溝２８（図５の(a) 参照）が形成されていて、このガイド溝２８にキャッチガイド２２側からガイド軸２９を挿通させ、それによってキャッチガイド２２の揺動をスムーズに行なわせるようにしている。
【００２１】
ロック部材２３は、金属帯板材をプレス加工して形成されたもので、図２及び図５から分かるように、その板面を幅木本体３ａの内側面と平行にした横長形状でその長手方向中間部が幅木本体３ａにボルト３０によって枢着され、この枢着部より後方側には、ロック部材２３の先端側を押し下げ操作するために番線の結着作業等に使用される「しの」等の棒状金具を図２の矢印Ａで示すように挿入する円筒状の棒状金具挿入部３１が設けられ、またこの枢着部と先端部との中間部前方側には、同様にロック部材２３の先端側を図２の矢印Ｂで示すように押し下げ操作するためにハンマー等で上から叩く叩き部３２が設けられている。また、ロック部材２３の枢着部より後方側は幅木本体３ａの内側面に接触した状態にあり、枢着部より前方側は屈曲して幅木本体３ａの内側面から離れ、このロック部材２３の先端部２３ａは、幅木本体３ａの内側面と平行に延びて、端部キャップ２０の取付基部２０ｂに設けられたスリット３３に突入し、キャッチガイド２２の後端テーパｔに当接するようになっている。
【００２２】
而して、ロック部材２３の先端部２３ａ側が図５の(a) に示す水平姿勢から持ち上がった前上がりの状態にある時、キャッチガイド２２は、その下端掛合部２２ａが足場板１の前後端面１７と足場用建枠の横架材１９との中間に位置して、横架材１９に掛合しないロック解除状態にあるが、この前上がりの状態からロック部材２３の棒状金具挿入部３１に「しの」等の棒状金具を挿入してこじることによりロック部材２３の先端部２３ａ側を押し下げ操作したり、又はロック部材２３の叩き部３２をハンマーで上から叩いてロック部材１３の先端部を押し下げ操作して、ロック部材２３を水平姿勢にすると、ロック部材２３の先端部２３ａがキャッチガイド２２を前方へ押し込んで、その下端掛合部２２ａを横架材１９に掛合させ、これによりキャッチガイド２２はロック状態となる。
【００２３】
このキャッチガイド２２のロック状態を解除する時は、ロック部材２３の棒状金具挿入部３１に再び棒状金具を挿入してこじながらロック部材２３の先端側を押し上げるか、あるいは棒状金具挿入部３１をハンマー等で上から叩いてロック部材１３の先端側を押し上げることによって、キャッチガイド３２の下端掛合部１２ａが足場用建枠の横架材１９から離脱し、ロック解除状態となる。アウトガイド２１は、図４及び図５から分かるように、幅木本体３ａの外側面にリベットで取り付けられる取付板部２１ｂと、この取付板部２１ｂの下端から一体に突出して足場板１の外側端面４０に当接支持される支持板部２１ａとからなる。
【００２４】
上記のように構成される桁側幅木３の取付けにあたっては、幅木本体３ａを足場板１の桁側端部上面１６の上方に持ち来たして、そのまま降ろし、足場板１の桁側端部上面１６に載置し、幅木本体３ａの前後両端部に夫々設けてあるアウトガイド２１の支持板部２１ａを足場板１の外側端面４０に当接支持させると共に、キャッチガイド２２の下端掛合部２２ａを足場板１の前後端面１７と足場用建枠の横架材１９との間に突入させる。
【００２５】
この後、前上がり姿勢にあるロック部材２３の棒状金具挿入部３１に「しの」等の棒状金具を挿入してこじることによりロック部材２３の先端部を押し下げ、あるいはロック部材２３の叩き部３２をハンマーで上から叩いてロック部材２３の先端部を押し下げ、それによりロック部材２３の先端部２３ａがキャッチガイド２２を前方へ押動して、その下端掛合部２２ａを足場用建枠の横架材１９に掛合させることにより、キャッチガイド２２をロックする。
【００２６】
こうして桁側幅木３の幅木本体３ａを足場板１の桁側端部上面１６に載せて、アウトガイド２１の支持板部２１ａを足場板１の外側端面４０に当接支持させ、キャッチガイド２２の下端掛合部２２ａを足場板１の前後端面１７と足場用建枠の横架材１９との間に突入させることによって、幅木本体３ａの左右方向の移動及び倒れが阻止される。そしてキャッチガイド２２の下端掛合部２２ａを足場用建枠の横架材１９に掛合させることにより、幅木本体３ａの前後方向の移動が阻止され、これによって幅木本体３ａは起立姿勢に保持固定される。
【００２７】
上記のようにして幅木本体３ａを足場板１の桁側端部に沿って起立姿勢に取付け固定した後、隣合う一方の幅木本体３ａの一端側端部キャップ２０に図３の(a) の実線図示のように垂直姿勢で保持されているフックレバー４の端部切欠溝８を、ボルト１０（ストッパーピン１０）から離脱させ、長孔７を介してフックレバー４を揺動させることによって、フックレバー４を他方の幅木本体３ａの他端側端部キャップ２０側へ突出させて、ボルト５（係止部）に係止することにより、図３の(a) の仮想線図示のように隣合う幅木３，３の端部どうしを簡単容易に連結することができる。
【図面の簡単な説明】
【００２８】
【図１】(a) は本発明に係る足場板用幅木をその外側面側から見た正面図、(b) は平面図である。
【図２】足場板の左右両桁側端部に取り付けられた足場板用幅木を示す斜視図である。
【図３】(a) は隣合う幅木の端部どうしをフックレバーによって連結する状態を示す正面図、(b) はフックレバーを示す正面図、(c) はフックレバーの端面図である。
【図４】足場板に桁側用幅木を取り付けた状態を外側から見た正面図である。
【図５】(a) は桁側用幅木の端部をその内側面側から見た拡大正面図、(b) は平面図、(c) は端面図である。
【符号の説明】
【００２９】
１            足場板
３            足場板用幅木
３ａ          幅木本体
４            フックレバー
５            係止部
６            フック
８            端部切欠溝
９            取付軸部
１０          ストッパーピン
１９          足場用建枠の横架材
２０          端部キャップ
２１          アウトガイド
２２          キャッチガイド
２３          ロック部材
【図１】
2006144445.tif 000003
【図２】
2006144445.tif 000004
【図３】
2006144445.tif 000005
【図４】
2006144445.tif 000006
【図５】
2006144445.tif 000007